(57)【要約】【課題】ドア９０を全開位置に固定でき、容易かつ確実にドア９０を全開位置にロックすることができるドアストッパー１の提供。【解決手段】ドアストッパー１は、係合凹部と磁石とが設けられたドア用部材１０と、床９１に固定可能な台座と、前記台座に接続された突出部２４が設けられたストッパー部材１１とを有している。そして、突出部２４が係合凹部に係合することにより、ドア９０の壁９２への衝突を防止することができる。また、ドア用部材１０には解除部材３２が設けられて、解除部材３２を操作して一方の方向のみロックを解除することができる。【選択図】  図１
2004316147.tif 000002
【特許請求の範囲】
【請求項１】
ドア用部材とストッパー部材とを有し、前記ドア用部材は係合凹部が設けられた本体部材と、磁石と、解除部材とが設けられ、前記係合凹部には天面部、第１側面部、第２側面部及び開口部を有して、前記第１側面部及び前記第２側面部は開口部と天面部との間に位置して互いに対向する位置関係であり、前記磁石は前記係合凹部の天面部側に位置するように本体部材に固定されているものであり、
前記ストッパー部材は、床に固定可能な台座と、前記台座に接続された突出部が設けられており、前記突出部は前記ドア用部材の磁石に吸引され前記係合凹部の天面側に引き寄せられて前記係合凹部に収納することができ、前記突出部が前記係合凹部に収納すると、前記突出部が前記第１側面部に当接することにより前記ストッパー部材は前記ドア用部材の一方の方向への移動を阻止することができ、かつ、前記突出部が前記第２側面部に当接することにより前記ストッパー部材は前記ドア用部材の他方の方向への移動を阻止することができるドアストッパーであって、
前記解除部材は係合凹部内に突出・後退でき、前記解除部材が突出すると、前記ストッパー部材の突出部による前記第２側面部への当接を妨げて、前記ドア用部材の他方の方向への移動の阻止を解除することができることを特徴とするドアストッパー。
【請求項２】
前記ストッパー部材の突出部は、前記台座に揺動可能に接続された揺動板と、前記揺動板に揺動可能に接続して前記磁石に吸引可能な移動板により構成され、前記移動板は、前記係合凹部の開口部より小さく磁石に吸引可能な板状の部材であり、前記ドア用部材の磁石に吸引されると前記係合凹部の天面側に引き寄せられて前記係合凹部に収納することが可能であることを特徴とする請求項１に記載のドアストッパー。
【請求項３】
前記ストッパー部材には、前記台座と前記揺動板とを接続する固定軸と、前記揺動板と前記移動板とを接続する移動軸が設けられていることを特徴とする請求項２に記載のドアストッパー。
【請求項４】
前記移動板が前記ドア用部材の磁石に吸引されて前記係合凹部に収納されると、前記揺動軸は前記係合凹部の第２側面部側に位置することを特徴とする請求項３に記載のドアストッパー。
【請求項５】
前記移動板が前記ドア用部材の磁石に吸引されて前記係合凹部に収納されると、前記揺動板は前記係合凹部の第１側面部に当接可能となることを特徴とする請求項３に記載のドアストッパー。
【請求項６】
前記固定軸の向きと前記移動軸の向きとは略平行であることを特徴とする請求項３〜５のいずれかに記載のドアストッパー。
【請求項７】
前記移動板が前記ドア用部材の磁石に吸引されて前記係合凹部に収納されると、前記移動板の面は前記台座の面と略平行となることを特徴とする請求項３〜６のいずれかに記載のドアストッパー。
【請求項８】
前記磁石は、前記第２側面部よりも前記第１側面部に近い位置に設けられていることを特徴とする請求項１〜７のいずれかに記載のドアストッパー。
【請求項９】
ドア用部材には解除部材とは別の部材である操作部材が設けられ、前記操作部材は前記解除部材の突出・後退の操作が可能であって磁石に引き寄せられることができるものであり、前記解除部材の突出状態及び後退状態の両方又はいずれか一方の状態で、操作部材が前記磁石に接触することを特徴とする請求項１〜８のいずれかに記載のドアストッパー。
【請求項１０】
ストッパー部材の台座には、前記揺動板及び前記移動板を収納できる収納凹部が設けられ、前記台座は前記収納凹部とは反対側の面を床に固定することができるものであり、前記揺動板及び前記移動板を収納した状態では、前記ストッパー部材の前記収納凹部側は、略平面となることを特徴とする請求項１〜９のいずれかに記載のドアストッパー。
【発明の詳細な説明】
【０００１】
【発明の属する技術分野】
本発明は、開き扉などを一定の位置以上に開かないようにするドアストッパーに関するものである。
【０００２】
【従来の技術】
住宅などの出入り口や部屋の出入り口などには、開き扉が用いられている。開き扉は、板状の扉の左右いずれかの一方に、壁などに固定されたヒンジを設け、扉の表側、裏側に取り付けられたノブなどを用いて引き、又は、押して扉を回動させて開閉を行うものである。
【０００３】
この開き扉を開いたときに、扉やノブが壁などに接触するおそれがある。このため、扉、ノブ、壁が破損しないようにドアストッパーが設けられている。
従来、このドアストッパーは、扉を開き、扉が壁に当たる手前付近において、扉に当接するように設けられるものであり、床や壁などに固定され、常時床から突出した状態で設けられていた。
【０００４】
上記のドアストッパーは、常時床から突出した状態で設けられているので、掃除などの際に邪魔になる。
そこで、床から出没自在の戸当りも種々検討されており、従来より知られている出没自在の戸当りとして、磁石を用いた戸当りなどがある。
【０００５】
また、この出願の発明に関連する先行技術文献情報として次のものがある。
【０００６】
【特許文献１】
特開平１１−２８７０６２号公報
【０００７】
特許文献１には、床面に揺動自在に設置された磁性体プレートを、ドア側の磁石に吸着させることによりドアの壁への接触を防止するドアストッパーが、開示されている。
【０００８】
【発明が解決しようとする課題】
しかし、特許文献１に記載のドアストッパーでは、ドアの壁への接触を防止した後も、ドアを開いた状態で保持することができなかった。すなわち、ドアに風などが当たって、ドアに強い力が加わると、磁石とプレートとのあいだの吸着力のみでは、ドアを全開位置に保持することができなくなる。そのため、ドアが勢いよく閉まってしまうなどの問題がある。
【０００９】
そこで、本発明はかかる問題を解消するため、ドアを全開位置に固定でき、さらに、容易かつ確実にドアを全開位置にロックすることができるドアストッパーを提供することを目的とする。
【００１０】
【課題を解決するための手段】
そして、上記した目的を達成するための請求項１に記載の発明は、ドア用部材とストッパー部材とを有し、前記ドア用部材は係合凹部が設けられた本体部材と、磁石と、解除部材とが設けられ、前記係合凹部には天面部、第１側面部、第２側面部及び開口部を有して、前記第１側面部及び前記第２側面部は開口部と天面部との間に位置して互いに対向する位置関係であり、前記磁石は前記係合凹部の天面部側に位置するように本体部材に固定されているものであり、前記ストッパー部材は、床に固定可能な台座と、前記台座に接続された突出部が設けられており、前記突出部は前記ドア用部材の磁石に吸引され前記係合凹部の天面側に引き寄せられて前記係合凹部に収納することができ、前記突出部が前記係合凹部に収納すると、前記突出部が前記第１側面部に当接することにより前記ストッパー部材は前記ドア用部材の一方の方向への移動を阻止することができ、かつ、前記突出部が前記第２側面部に当接することにより前記ストッパー部材は前記ドア用部材の他方の方向への移動を阻止することができるドアストッパーであって、前記解除部材は係合凹部内に突出・後退でき、前記解除部材が突出すると、前記ストッパー部材の突出部による前記第２側面部への当接を妨げて、前記ドア用部材の他方の方向への移動の阻止を解除することができることを特徴とするドアストッパーである。
【００１１】
請求項１に記載の発明によれば、係合凹部と磁石とが設けられたドア用部材と、台座と台座に接続された突出部が設けられたストッパー部材を有しており、前記突出部は前記ドア用部材の磁石に吸引され前記係合凹部の天面側に引き寄せられて前記係合凹部に収納できるものであり、そして、前記突出部が第１側面部又は第２側面部に当接することによりドア用部材の一方及び他方の方向への移動阻止することができる。したがって、このドアストッパ−を用いることにより、確実にドアの移動を阻止することができ、壁などの損傷を防ぐことができ、ドアをロック状態とすることができる。また、係合凹部内に突出・後退できる解除部材によって、一方の方向の移動の阻止を解除することができるので、この解除によりドアを閉じる方向に移動したい場合には容易に行うことができる。
【００１２】
請求項２に記載の発明は、前記ストッパー部材の突出部は、前記台座に揺動可能に接続された揺動板と、前記揺動板に揺動可能に接続して前記磁石に吸引可能な移動板により構成され、前記移動板は、前記係合凹部の開口部より小さく磁石に吸引可能な板状の部材であり、前記ドア用部材の磁石に吸引されると前記係合凹部の天面側に引き寄せられて前記係合凹部に収納することが可能であることを特徴とする請求項１に記載のドアストッパーである。
【００１３】
請求項２に記載の発明によれば、前記ストッパー部材の突出部は、前記台座に揺動可能に接続された揺動板と、前記揺動板に揺動可能に接続して前記磁石に吸引可能な移動板により構成されているので、ストッパー部材の厚みを薄くすることができる。また、前記移動板は、前記係合凹部の開口部より小さく磁石に吸引可能な板状の部材であるので、確実に係合凹部に係合することができる。
【００１４】
請求項３に記載の発明は、前記ストッパー部材には、前記台座と前記揺動板とを接続する固定軸と、前記揺動板と前記移動板とを接続する移動軸が設けられていることを特徴とする請求項２に記載のドアストッパーである。
【００１５】
請求項３に記載の発明によれば、前記ストッパー部材には、前記台座と前記揺動板とを接続する固定軸と、前記揺動板と前記移動板とを接続する移動軸が設けられているので、ドアの慣性力を確実に受け止めることができる。
【００１６】
請求項４に記載の発明は、前記移動板が前記ドア用部材の磁石に吸引されて前記係合凹部に収納されると、前記揺動軸は前記係合凹部の第２側面部側に位置することを特徴とする請求項３に記載のドアストッパーである。
【００１７】
請求項４に記載の発明によれば、前記移動板が前記ドア用部材の磁石に吸引されて前記係合凹部に収納されると、前記揺動軸は前記係合凹部の第２側面部側に位置し、移動板の揺動軸と反対側の先端が第１側面部と当接することとなる。そして、移動板の揺動軸と反対側の先端は、軸などを設ける必要が無く軽くできるので磁石により確実に引き寄せることができ、ドアロックが確実となる。
【００１８】
請求項５に記載の発明は、前記移動板が前記ドア用部材の磁石に吸引されて前記係合凹部に収納されると、前記揺動板は前記係合凹部の第１側面部に当接可能となることを特徴とする請求項３に記載のドアストッパーである。
【００１９】
請求項５に記載の発明によれば、前記移動板が前記ドア用部材の磁石に吸引されて前記係合凹部に収納されると、前記揺動板は前記係合凹部の第１側面部に当接可能となるので、台座に接続された揺動板により確実にドアの移動を阻止することができる。
【００２０】
請求項６に記載の発明は、前記固定軸の向きと前記移動軸の向きとは略平行であることを特徴とする請求項３〜５のいずれかに記載のドアストッパーである。
【００２１】
請求項６に記載の発明によれば、前記固定軸の向きと前記移動軸の向きとは略平行であるので、移動軸及び固定軸をドアの移動方向に対して垂直方向にすることが可能となり、ストッパー部材によりドアの慣性力を確実に受け止めることができる。
【００２２】
請求項７に記載の発明は、前記移動板が前記ドア用部材の磁石に吸引されて前記係合凹部に収納されると、前記移動板の面は前記台座の面と略平行となることを特徴とする請求項３〜６のいずれかに記載のドアストッパーである。
【００２３】
請求項７に記載の発明によれば、前記移動板が前記ドア用部材の磁石に吸引されて前記係合凹部に収納されると、前記移動板の面は前記台座の面と略平行となるので、前記移動板の面が床面と平行となって、ドアの慣性力の方向を移動板の面に平行となるので、薄い移動板を用いても確実にドアの慣性力を受けることができる。
【００２４】
請求項８に記載の発明は、前記磁石は、前記第２側面部よりも前記第１側面部に近い位置に設けられていることを特徴とする請求項１〜７のいずれかに記載のドアストッパーである。
【００２５】
請求項８に記載の発明によれば、前記磁石は、前記第２側面部よりも前記第１側面部に近い位置に設けられているので、解除部材を突出状態としても、突出部の第１側面部側の当接を維持した状態とすることが容易となり、解除部材を突出状態としておくことで、ドアの移動の阻止する方向を一方方向のみとすることができる。
【００２６】
請求項９に記載の発明は、ドア用部材には解除部材とは別の部材である操作部材が設けられ、前記操作部材は前記解除部材の突出・後退の操作が可能であって磁石に引き寄せられることができるものであり、前記解除部材の突出状態及び後退状態の両方又はいずれか一方の状態で、操作部材が前記磁石に接触することを特徴とする請求項１〜８のいずれかに記載のドアストッパーである。
【００２７】
請求項９に記載の発明によれば、前記磁石に吸引可能であり、前記解除部材の突出状態又は後退状態で前記磁石に接触して保持させる操作部材が設けられているので、突出状態又は後退状態の操作の際に節度ある操作が可能となる。
【００２８】
請求項１０に記載の発明は、前記ストッパー部材の台座には、前記揺動板及び前記移動板を収納できる収納凹部が設けられ、前記台座は前記収納凹部とは反対側の面を床に固定することができるものであり、前記揺動板及び前記移動板を収納した状態では、前記ストッパー部材の前記収納凹部側は、略平面となることを特徴とする請求項１〜９のいずれかに記載のドアストッパーである。
【００２９】
請求項１０に記載の発明によれば、前記ストッパー部材の台座には、前記揺動板及び前記移動板を収納できる収納凹部が設けられ、前記台座は前記収納凹部とは反対側を床に固定することができるものであり、前記揺動板及び前記移動板を収納した状態では、前記ストッパー部材の前記収納凹部側は、略平面となるので、ドアストッパーを使用しない際には邪魔になりにくい。
【００３０】
【発明の実施の形態】
以下さらに本発明の具体的実施例について説明する。図１は、本発明の実施形態の第１のドアストッパーをドアに設置した状態での斜視図である。図２は、図１のドアストッパー付近を拡大した斜視図である。図３は、図２の状態からドアを開放方向に移動させた状態での、ドアストッパー付近を拡大した斜視図である。図４（ａ）は、図２の状態からドアを開放方向に移動させた状態での、ドアストッパー付近を拡大した斜視図である。図４（ｂ）は、図４（ａ）の状態でのストッパー部材を示した斜視図である。図５は、ドア用部材の斜視図である。図６は、ドア用部材の分解斜視図である。図７は、本体部材の凹部を示した斜視図である。図８は、図５のドア用部材を９０°傾斜させた状態の斜視図である。図９は、ストッパー部材の斜視図である。図１０は、ストッパー部材の分解斜視図である。図１１〜図１６は、ドアストッパーをドアの移動方向に対して垂直方向から見た模式図である。図１７は、ドア用部材の変形例を示した斜視図である。図１８、図１９は、ドア用部材の変形例を、ドアの移動方向に対して垂直方向から見た模式図である。
【００３１】
本発明の第１の実施形態におけるドアストッパー１は、図１に示されるように、ドア用部材１０とストッパー部材１１とを有している。そして、ドア用部材１０はドア９０に固定され、ストッパー部材１１は床９１に固定されて使用するものである。
【００３２】
また、ドア９０を開放し、ドア９０が壁９２側に移動した場合には、ドアストッパー１によって壁９２の手前でドア９０を止めることができる。そして、ドア９０の壁９２側に設けられているドアノブ９３と壁９２との衝突を防止して、ドアノブ９３及び壁９２の保護することができる。
具体的には、ドア用部材１０をドア９０の壁９２側の下縁９０ａ付近に設置して、ストッパー部材１１を床９１上であってドア用部材１０の軌跡に設置する。そして、図２〜図４に示されるように、ドア９０を開けていくと、ドア用部材１０がストッパー部材１１の上側を移動することができる。そうして、後述するように、ドア用部材１０がストッパー部材１１に近づくと、ストッパー部材１１の突出部２４が、ドア用部材１０の本体部材１４に設けられる凹部１３の係合凹部１３ａに係合してドア９０を止める。
【００３３】
ドア用部材１０には、本体部材１４、磁石２０、解除部材３２が設けられている。
【００３４】
本体部材１４は、図５に示されるように、外観が左右にフランジ部３５を有する略直方体状である。そして、下側には凹部１３を有している。また、フランジ部３５とは反対側には、凹部１３とつながる開口１４ａが設けられている。
また、本体部材１４には、軸孔３８及び位置決め部材用貫通孔３９が設けられている。軸孔３８及び位置決め部材用貫通孔３９の貫通方向は、ドア９０に取り付けられた状態でドア９０及び床９１に平行な方向に向いている。
本体部材１４の２カ所のフランジ部３５には、それぞれ固定孔３７が設けられている。ドア用部材１０をドア９０に固定する際には、固定孔３７にねじ３６を貫通させて行う。
【００３５】
本体部材１４の凹部１３は、図７に示されているように、角状に凹んでおり、係合凹部１３ａ、磁石収納凹部１３ｂ及び解除部材収納凹部１３ｃを有している。
【００３６】
係合凹部１３ａは、図７に示されており、下側が開口状であり、上側は磁石収納凹部１３ｂ及び解除部材収納凹部１３ｃとつながっている。そして、係合凹部１３ａには、開口部１６、天面部１７、第１側面部１８及び第２側面部１９が設けられている。第１側面部１８及び前記第２側面部１９は開口部１６と天面部１７との間に位置して、第１側面部１８と第２側面部１９とは対向する位置関係である。そして、ドア用部材１０がドア９０に取り付けられると、第１側面部１８はドア９０側、第２側面部１９は壁９２側となるような位置関係になる。
【００３７】
磁石収納凹部１３ｂは円盤状の凹部であり、後述する磁石２０の外形とほぼ同じ大きさであって、磁石２０が収納される。磁石収納凹部１３ｂの位置は、解除部材収納凹部１３ｂよりもドア９０側である。
磁石収納凹部１３ｂに磁石２０が収納されると、図８に示されるように、磁石２０の表面が係合凹部１３ａの天面部１７と略同一平面状となり、磁石２０の露出面２０ａは、天面部１７の一部となっている。また、磁石２０は、第２側面部１９よりも第１側面部１８に近い位置に設けられている。
【００３８】
解除部材収納凹部１３ｃは、後述する解除部材３２が収納される部分であり、本体部材１４の開口１４ａにつながっている。
【００３９】
磁石２０は永久磁石であり、円盤状である。そして、後述するストッパー部材１１の移動板２５を引き寄せることができる。特に、磁石２０は磁力の強いものが用いられており、移動板２５の上部付近に磁石２０が位置すると、即座に引き寄せるものである。
【００４０】
解除部材３２は、図６に示されている。そして、解除部材３２は、扇状の柱状の形状をした解除部３２ｂと、板状であり扇の中心付近に接続する操作部３２ａが設けられた部材である。そして、解除部３２ｂと操作部３２ａとの連結部付近であって解除部３２ｂの扇の中心付近には貫通孔３２ｃが設けられている。また、解除部３２ｂの扇面には、２箇所の位置決め用凹み３２ｄが設けられている。それぞれの位置決め用凹み３２ｄから貫通孔３２ｃまでの距離はほぼ等距離である。
【００４１】
そして、解除部材３２は、本体部材１４の解除部材収納凹部１３ｃに挿入され、軸４５を用いて本体部材１４と揺動可能に連結される。具体的には、解除部材３２を、操作部３２ａが開口１４ａから外部にはみ出すような状態となるように、本体部材１４の開口部１６から挿入して、貫通孔３２ｃと軸孔３８が同一軸上となるようにして、軸４５を貫通孔３２ｃ及び軸孔３８に挿入して行う。
そうして本体部材１４に解除部材３２を接続すると、解除部材３２は軸４５を中心として揺動可能になり、この解除部材３２の揺動は開口１４ａからはみ出している操作部３２ａによって行うことができる。
【００４２】
また、ドア用部材１０には、解除部材３２の位置を、所定の位置で節度を持って止めることができるように位置決め手段４０が設けられている。位置決め手段４０は、図６に示されるように、ボール４１、ばね４２及び固定部材４３により構成されている。そして、上記のように解除部材３２を本体部材１４に接続した状態で、位置決め部材用貫通孔３９にボール４１、ばね４２及び固定部材４３の順に挿入する。固定部材４３が位置決め部材用貫通孔３９に挿入された状態で固定されているので、ボール４１は解除部材３２に接触しながら解除部材３２に向かって付勢されている。
そして、付勢されたボール４１が位置決め用凹み３２ｄに入り込むことにより、位置決め用凹み３２ｄの位置と位置決め部材用貫通孔３９の位置が合うように、解除部材３２の位置が決まる。この解除部材３２の位置決めの位置は、位置決め部材用貫通孔３９の位置によって決まるが、この位置は、後述するように、解除部材３２の突出位置及び退入位置となるものである。
【００４３】
ストッパー部材１１は、図９，１０に示されている。そして、ストッパー部材１１には、台座２２、揺動板２３及び移動板２５を有し、さらに、固定軸２６及び移動軸２７が設けられている。そして、台座２２と揺動板２３とは固定軸２６によって揺動可能に接続され、揺動板２３と移動板２５とは移動軸２７によって揺動可能に接続されている。
前記した揺動板２３及び移動板２５によって突出部２４が構成され、突出部２４が前記したドア用部材１０の係合凹部１３ａに係合して、ドア９０の移動の阻止を行う。なお、この突出部２４の突出は、ばねなどの付勢部材などを用いるものでなくドア用部材１０の磁石２０によって引き寄せて行われるものであり、また、突出部２４の退入は重力により行われる。
【００４４】
台座２２は床９１に固定可能であり、台座２２を床９１に固定することによって、ストッパー部材１１を固定することができる。具体的には、台座２２の床９１への固定は、台座２２に設けられた固定用孔３０を用い、固定用孔３０にねじ３６を挿通して床９１と固定することにより行われる。なお、台座２２は樹脂を成型して製作される。
また、台座２２には、揺動板２３及び移動板２５を収納できる収納凹部２８が設けられている。収納凹部２８は床９１への固定側とは反対側に位置し、台座２２を床９１に固定した状態では、収納凹部２８は上側に位置している。そして、図９に示すように、収納凹部２８に揺動板２３及び移動板２５を収納すると、ストッパー部材１１の上側は、略平面状となる。
また、台座２２には、固定軸２６が挿入可能な固定軸用貫通孔４８が設けられている。
【００４５】
移動板２５は、長方形の板状の部材である。また、移動板２５の材質は磁石に吸引される材質を用いて製作されるものであり、具体的には鉄板が用いられる。移動板２５の大きさは、ドア用部材１０の係合凹部１３ａの大きさより小さく、係合凹部１３ａに収納可能な大きさである。
また、移動板２５には、移動軸用挿入孔５２が設けられており、移動用挿入孔５２は、移動軸２７が挿入可能である。
【００４６】
揺動板２３は、略「コ」字形の板状の部材であり、揺動板２３の「コ」字の内側の切り欠き部分２３ａは、移動板２５の外形とほぼ同一である。
また、揺動板２３には、固定軸用挿入孔５０と２カ所の移動軸用挿入孔５１が設けられている。固定軸用挿入孔５０は、固定軸２６が挿入可能であり、移動軸用挿入孔５１は、移動軸２７が挿入可能である。そして、揺動板２３と移動板２５とを板面を同一にしながら合わせると、全体の形状は長方形状であって収納凹部２８とほぼ同一の形状となり、２カ所の移動軸用挿入孔５１の間に移動軸用挿入孔５２が位置して直線状となって、固定軸用挿入孔５０と略平行となる。
【００４７】
そして、台座２２の固定軸用貫通孔４８と揺動板２３の固定軸用挿入孔５０の位置を合わせて、固定軸２６を挿入する。そうすると、台座２２と揺動板２３とが接続し、固定軸２６を中心として揺動可能となる。
また、揺動板２３の移動軸用挿入孔５１と移動板２５の移動軸用挿入孔５２の位置を合わせて、移動軸２７を挿入する。そうすると、揺動板２３と移動板２５とが接続し、移動軸２７を中心として揺動可能となる。また、固定軸２６と移動軸２７はほぼ平行に位置している。
【００４８】
そして、移動板２５と台座２２とは揺動板２３を介して接続し、固定軸２６と移動軸２７の２カ所で揺動可能である。したがって、揺動板２３と台座２２との相対角度を大きくすることにより、移動板２５と台座２２との距離を変更することができる。また、固定軸２６と移動軸２７はほぼ平行であり、移動板２５と揺動板２３との相対角度を、揺動板２３と台座２２との相対角度とほぼ同じ角度とすることにより、移動板２５の面と台座２２の面とを平行にしながら移動板２５と台座２２との距離を変えることができる。すなわち、固定軸２６又は移動軸２７の軸方向に対して平行に、移動板２５、揺動板２３及び台座２２見ると、略「Ｚ」状の状態であり、移動板２５が突出・退入することが可能である。
【００４９】
また、台座２２、揺動板２３及び移動板２５を接続した状態で、台座２２の収納凹部２８を上側にすると、揺動板２３及び移動板２５は収納凹部２８に収納される。
【００５０】
次に、ドアストッパー１の使用方法について説明する。
まず、ドアストッパー１を取り付ける。具体的には、前記したように、ドア用部材１０を係合凹部１３ａの開口部１６側が床９１に向くようにしてドア９０に設け、ストッパー部材１１を移動板２５がドア用部材１０の係合凹部１３ａに向かって移動可能となるように床９１の所定の位置に固定する。ストッパー部材１１の固定位置は、通常、壁９２の少し手前である。
ストッパー部材１１は、固定軸２６及び移動軸２７の方向がドア９０の移動方向に垂直となるように固定され、さらに、移動軸２７側が壁９２側となるように固定する。
【００５１】
そして、図１１〜図１６を用いて、揺動板２３、移動板２５及び解除部材３２の動きについて説明する。なお、図１１〜図１６において、右側が壁９２側であり、ドア９０を開けるとドア用部材１０が右に移動する。
ドア用部材１０とストッパー部材１１が離れている場合、例えば、ドア９０が閉まっている状態など、壁９２から離れている場合には、図１１に示されるように、ストッパー部材１１の揺動板２３及び移動板２５は、台座２２の収納凹部２８に収まっている。なお、図１１に示す状態では、ドア用部材１０の解除部材３２は、退入状態であり、位置決め手段４０により位置決めされている。
【００５２】
さらに、ドア９０を開ける。すると、ドア用部材１０とストッパー部材１１とが接近する。さらに近づけると、ストッパー部材１１の移動板２５の真上付近にドア用部材１０の係合凹部１３ａが近づく。そうすると、移動板２５が磁石２０によって引きつけられて、移動軸２７とは反対側の移動板２５が係合凹部１３ａ内に移動する。具体的には、固定軸２６を軸として、揺動板２３が回転しながら、移動板２５が移動軸２７を軸として回転する。この状態を示した図が図１２である。
【００５３】
さらにドア９０を開けると、図１３に示す状態となる。図１３に示す状態では、ドア用部材１０の解除部材３２は退入状態であるので、移動板２５は天面部１７に密着し、床９１の面と平行な状態となる。そして、移動板２５は完全に係合凹部１３ａに収納される状態となり、係合凹部１３ａの第１側面部１８と第２側面部１９との間に位置している。
図１３に示す状態では、移動板２５と第１側面部１８とが当接している。そして、揺動板２３、固定軸２６、台座２２を介してストッパー部材１１は固定されているので、ドア用部材１０とストッパー部材１１との相対移動は不可となり、これ以上にドア用部材１０が壁９２側には移動できない。また、一旦、図１３の状態となると、ドア９０を反対側に移動、すなわち、ドア９０を閉める方向に移動させようとしても、移動板２５と第２側面部１９とが当接しているので、ドア用部材１０とストッパー部材１１との相対移動は不可となり、ドア９０を閉める方向に移動できない。
【００５４】
上記のロック状態を解除してドア９０を閉める場合には、図１３の状態から、解除部材３２を操作して突出状態とする。そして、図１４に示すように、解除部材３２を突出状態とすると、移動軸２７側が下方に移動して、第２側面部１９側の移動板２５が下側に移動する。
図１４の状態、すなわち、解除部材３２を突出状態でドア９０を閉める方向に力を入れると、解除部材３２が退入状態である場合とは異なり、ドア９０を移動することが可能となる。これは、解除部材３２が突出状態となると移動板２５が下側に移動して、移動板２５の第２側面部１９側が係合凹部１３ａの外側、すなわち開口部１６の外側に移動して、移動板２５の第２側面部１９への当接を妨げ、ドア用部材１０とストッパー部材１１との相対移動が可能となり、ドア９０を閉める方向に移動できるためである。
なお、解除部材３２を突出状態としても、磁石２０は第２側面部１９よりも第１側面部１８に近い位置に設けられているので、移動板２５の第１側面部１８側は、磁石２０により引き寄せられる。したがって、第１側面部１８と、移動板２５及び揺動板２３とが当接してドア用部材１０とストッパー部材１１との相対移動は不可となり、これ以上にドア用部材１０が壁９１側には移動できない。
【００５５】
また、図１５に示すように、ドア用部材１０とストッパー部材１１が離れている状態で、ドア用部材１０の解除部材３２を突出状態とすると、解除部材３２を退入状態した時と同様に、磁石２０によって引きつけられて、固定軸２６を軸として、揺動板２３が傾斜し、移動軸２７付近の揺動板２３及び移動板２５が係合凹部１３ａ内に移動する（図１６）。さらに、ドア９０を移動させると、図１４に示す状態となり、第１側面部１８と、移動板２５とが当接してドア用部材１０とストッパー部材１１との相対移動は不可となり、それ以上ドア９０は移動しない。
【００５６】
ドアストッパー１はこのように構成されているので、以下のように使用をすることができる。
解除部材３２を退入状態及び突出状態のいずれの場合でも、ドア９０を開けると所定の位置より壁９２側に開けることは出来ない。また、解除部材３２を退入状態としてドア９０を開けると、所定の位置に至るとドア９０を閉め戻すことができなくなって、いずれの方向にも移動できなくなりそのままロックすることができる。さらに、解除部材３２を突出状態としてドア９０を開けると、所定の位置から戻すことができ、通常のドアストッパーのように使用することができる。そして、所定の位置で解除部材３２を退入状態とすると、いずれの方向にも移動できなくなりロックすることができる。
【００５７】
なお、磁石２０は、第２側面部１９よりも第１側面部１８に近い位置に設けられているので、移動板２５が係合凹部１３ａに完全に収納する付近で、移動板２５が磁石２０に引き寄せられる。したがって、ドア９０を壁９２側に移動させた場合に、移動する力が弱くても、確実に移動板２５が係合凹部１３ａに収納されて、ドアロックが確実となる。
【００５８】
上記したドアストッパー１では、ドア９０の壁９２側に設置するものであったが、図１７に示されるように、ドア９０内部に空間を設けてその中に設置したドア用部材１０ａを用いても良い。
【００５９】
また、ドアストッパー１のドア用部材１０に用いた解除部材３２の解除部３２ｂと、操作部３２ａを別部材としたドア用部材１０ｂも用いることができる。ドア用部材１０ｂは、図１８、図１９に示されており、解除部６０と操作部６１とが設けられている。そして、解除部６０及び操作部６１は、本体部材１４と軸部６３、６２により軸止めされており、操作部６１に設けられた揺動軸部６４が操作部６１に設けられた長孔６５に挿通され、操作部６１の操作によって解除部６０が回転する。
【００６０】
そして、ドア用部材１０ｂの操作部６１を操作すると軸部６３を軸として回転し、解除部６０は収納凹部１３ａを突出・退入し、上記した、ドア用部材１０と同様にドアストッパー１のロック操作および解除操作を行うことができる。
さらに、操作部６１を磁石２０に引き寄せ可能な材質として、解除部６０の突出状態及び退入状態で操作部６１が磁石２０に接触させるようにすることもできる。かかる場合には、確実に突出状態又は退入状態に位置決めできるので、部品点数を増やすことなく節度有る操作を行うことができる。
【００６１】
具体的に、節度の様子を説明する。操作部６１には、第１磁石当接部７０及び第２磁石当接部７１が設けられている。第１磁石当接部７０は、解除部６０が退入した状態における操作部６１の姿勢で、磁石２０のドア側側部２０ｃと当接する。第２磁石当接部７１は、解除部６０が退入した状態における操作部６１の姿勢で、磁石２０の壁側側部２０ｂと当接する。そして、ドア側側部２０ｃ及び壁側側部２０ｂは磁石２０の側面に位置しており、互いに１８０°反対の位置である。また、磁石２０の位置は第１磁石当接部７０と第２磁石当接部７１との間となっている。
【００６２】
上記のように構成されているので、操作部６１を操作して解除部６０が退入するように移動させると、第１磁石当接部７０はドア側側部２０ｃと接近し、磁石２０と操作部６１との間に磁力が働く距離まで近づくと、完全に当接する。また、操作部６１を操作して解除部６０が突出するように移動させると、第２磁石当接部７１は壁側側部２０ｂと接近し、磁石２０と操作部６１との間に磁力が働く距離まで近づくと、完全に当接する。したがって、操作部６１の操作の際に、不完全な位置で止まることがない。
【００６３】
また、ドア用部材１０ｂは、操作部６１を第１側面部１８側とすることができるので、操作部６１を壁９２側とは反対側に設置することが可能である。したがって、ドア用部材１０ｂを、ドア９０内部に空間を設けてその中に設置して、ドア９０と壁９２との間ではなく、操作部６１のロック操作、解除操作を容易に行うことができる。
【００６４】
上記したストッパー部材１１の突出部２４は、揺動板２３及び移動板２５により構成されて板状の部材を用いており、また、揺動板２３及び移動板２５が台座２２の収納凹部２８に収納されるとストッパー部材１１の上側は略平面となるものであったが、ドア用部材１０の係合凹部１３ａに突出できればどのようなものでも用いることができる。例えば、ストッパー部材１１の固定軸２６と移動軸２７との位置関係を反対として、固定軸２６を壁９２側とし、移動板２５の移動軸２７側が第１側面部１８と当接する構成とすることもできる。
さらに、上記のドア用部材１０の磁石２０の位置は、第１側面部１８側に設けられていたが、これに限られず、係合凹部１３ａの天面部１７側に設けられていればよい。
【００６５】
【発明の効果】
本発明のドアストッパーによれば、ドア側の磁石と床面に揺動自在に設置された磁性体プレートとを吸着させることによりドアを全開位置に固定でき、さらに、容易かつ確実にドアを全開位置にロックすることができる。
【図面の簡単な説明】
【図１】本発明の第１の実施形態のドアストッパーをドアに設置した状態での斜視図である。
【図２】図１のドアストッパー付近を拡大した斜視図である。
【図３】図２の状態からドアを開放方向に移動させた状態での、ドアストッパー付近を拡大した斜視図である。
【図４】（ａ）は図２の状態からさらにドアを開放方向に移動させて、ドアを固定した状態のドアストッパー付近を拡大した斜視図であり、（ｂ）は、（ａ）の状態で、ストッパー部材を示した斜視図である。
【図５】ドア用部材の斜視図である。
【図６】ドア用部材の分解斜視図である。
【図７】本体部材の凹部を示した斜視図である。
【図８】図５のドア用部材を９０°傾斜させた状態の斜視図である。
【図９】ストッパー部材の斜視図である。
【図１０】ストッパー部材の分解斜視図である。
【図１１】ドアストッパーをドアの移動方向に対して垂直方向から見た模式図である。
【図１２】ドアストッパーをドアの移動方向に対して垂直方向から見た模式図である。
【図１３】ドアストッパーをドアの移動方向に対して垂直方向から見た模式図である。
【図１４】ドアストッパーをドアの移動方向に対して垂直方向から見た模式図である。
【図１５】ドアストッパーをドアの移動方向に対して垂直方向から見た模式図である。
【図１６】ドアストッパーをドアの移動方向に対して垂直方向から見た模式図である。
【図１７】ドア用部材の変形例を示した斜視図である。
【図１８】ドア用部材の変形例を、ドアの移動方向に対して垂直方向から見た模式図である。
【図１９】ドア用部材の変形例を、ドアの移動方向に対して垂直方向から見た模式図である。
【符号の説明】
１    ドアストッパー
１０、１０ａ、１０ｂ  ドア用部材
１１  ストッパー部材
１３ａ  係合凹部
１４  本体部材
１６  開口部
１７  天面部
１８  第１側面部
１９  第２側面部
２０  磁石
２２  台座
２３  揺動板
２４  突出部
２５  移動板
２６  固定軸
２７  揺動軸
２８  収納凹部
３２  解除部材
６０  解除部
６１  操作部
９０  ドア
９１  床
９２  壁
【図１】
2004316147.tif 000003
【図２】
2004316147.tif 000004
【図３】
2004316147.tif 000005
【図４】
2004316147.tif 000006
【図５】
2004316147.tif 000007
【図６】
2004316147.tif 000008
【図７】
2004316147.tif 000009
【図８】
2004316147.tif 000010
【図９】
2004316147.tif 000011
【図１０】
2004316147.tif 000012
【図１１】
2004316147.tif 000013
【図１２】
2004316147.tif 000014
【図１３】
2004316147.tif 000015
【図１４】
2004316147.tif 000016
【図１５】
2004316147.tif 000017
【図１６】
2004316147.tif 000018
【図１７】
2004316147.tif 000019
【図１８】
2004316147.tif 000020
【図１９】
2004316147.tif 000021